(57)【特許請求の範囲】
【請求項１】
交流電圧を入力して高電位の直流の基準電圧および当該高電位に略比例した電位とされる低電位の直流の基準電圧を生成する電源回路と、同高電位の基準電圧を入力して同高電位の基準電圧が大きくなるほど電圧が大きくなる高電圧を生成するフライバックトランスと、同高電圧に基づいて電子ビームを所定の管面に向かって放出させる受像管と、この受像管からのＸ線の放射を防ぐように上記高電位の基準電圧が所定電圧以上となるときに上記電源回路に基準電圧の生成を停止させるＸ線プロテクト回路とを備え、上記電源回路は生成する基準電圧の大きさを変更可能な電圧可変回路を有するテレビジョンにおいて、
上記電圧可変回路は、入力される制御電圧に基づいて上記電源回路が生成する基準電圧の大きさを変更可能であり、
所定抵抗値の抵抗回路を直列接続するとともに上記低電位の基準電圧の電源ラインとグランドとの間に介在される分圧回路と、
上記分圧回路の中間連結部の電圧を入力してデジタルの電圧値に変換するＡ／Ｄコンバータと、同電圧値を記憶するＲＡＭとを有し、段階的に上記基準電圧を上昇させる上記制御電圧を作成して上記電圧可変回路に出力することにより同基準電圧を上昇させながら上記Ａ／Ｄコンバータからデジタルの電圧値を取得して上記ＲＡＭに記憶させ、同電圧値に基づいて上記Ｘ線プロテクト回路が上記電源回路に基準電圧の生成を停止させたか否かを判定するとともに、同Ｘ線プロテクト回路が同基準電圧の生成を停止させたと判定したとき、上記ＲＡＭから同Ｘ線プロテクト回路が同基準電圧の生成を停止させる直前に相当する電圧値を読み出し、上記低電位の基準電圧が当該電圧値に対応する電圧となるように上記制御電圧を作成して上記電圧可変回路に出力することにより上記基準電圧を調整する制御を行うマイコンとを具備することを特徴とするテレビジョン。
【請求項２】
受像管に供給する高電圧が所定電圧以上となるときに同受像管に対する同高電圧の供給を停止させるプロテクト回路を備える映像表示装置であって、
上記高電圧を変更可能に生成する高電圧生成手段と、
上記高電圧に対応して変化する直流の基準電圧を検出する基準電圧検出手段と、
上記高電圧生成手段にて上記高電圧を上昇させる場合を基準として上記プロテクト回路が上記受像管に対する上記高電圧の供給を停止させる直前の上記基準電圧を上記基準電圧検出手段に検出させ、検出された同直前の基準電圧に対応する上記高電圧を上記高電圧生成手段に生成させる制御を行う電圧制御手段とを具備することを特徴とする映像表示装置。
【請求項３】
上記高電圧生成手段は、一次側電圧を入力して二次側の直流の基準電圧を生成する電源回路を有し、同基準電圧が大きくなるほど電圧が大きくなる上記高電圧を生成し、
上記電圧制御手段は、上記電源回路に上記基準電圧を上昇させながら上記プロテクト回路が上記受像管に対する上記高電圧の供給を停止させる直前の同基準電圧を上記基準電圧検出手段に検出させ、検出された同直前の基準電圧となるように上記電源回路に上記基準電圧を生成させることを特徴とする請求項２に記載の映像表示装置。
【請求項４】
上記電圧制御手段は、上記基準電圧に対応する電圧値を記憶する記憶領域を有し、段階的に上記電源回路に上記基準電圧を上昇させながら上記基準電圧検出手段に同基準電圧を検出させて検出された基準電圧に対応する電圧値を取得して同記憶領域に記憶させ、上記プロテクト回路が上記受像管に対する上記高電圧の供給を停止させたか否かを判定するとともに、同プロテクト回路が同高電圧の供給を停止させたと判定したとき、同記憶領域から同プロテクト回路が同高電圧の供給を停止させる直前に相当する電圧値を読み出し、当該電圧値に対応する基準電圧となるように上記電源回路に上記基準電圧を生成させることを特徴とする請求項３に記載の映像表示装置。
【請求項５】
上記電圧制御手段は、上記高電圧の供給を停止させる直前に相当する電圧値に対応する基準電圧となるように上記電源回路に上記基準電圧を生成させたとき、上記受像管からのＸ線の放射量を測定するように促す旨を外部に出力することを特徴とする請求項４に記載の映像表示装置。
【請求項６】
上記基準電圧検出手段は、所定抵抗値の抵抗回路を直列接続するとともに上記基準電圧の電源ラインとグランドとの間に介在される分圧回路を備え、当該分圧回路の中間連結部の電圧を検出することにより上記基準電圧を検出することを特徴とする請求項３〜請求項５のいずれかに記載の映像表示装置。
【請求項７】
上記高電圧生成手段は、上記電源回路にて生成された基準電圧を入力して上記高電圧を生成するフライバックトランスを備えることを特徴とする請求項３〜請求項６のいずれかに記載の映像表示装置。
【請求項８】
上記電源回路は、直流とされた上記一次側電圧をオンオフしてパルス状の電圧を生成するとともに入力される制御電圧に応じて同電圧のパルス幅を変更可能なパルス生成回路を有し、同パルス状の電圧に基づいて上記基準電圧を生成し、
上記電圧制御手段は、上記基準電圧に対応した上記制御電圧を生成して上記パルス生成回路に対して出力することを特徴とする請求項３〜請求項７のいずれかに記載の映像表示装置。
【請求項９】
上記電圧制御手段は、上記受像管に供給する高電圧の電流量についての操作入力を受け付け、操作入力された電流量となるように上記受像管に供給する高電圧の電流を制御することを特徴とする請求項２〜請求項８のいずれかに記載の映像表示装置。
【請求項１０】
受像管に供給する高電圧が所定電圧以上となるときに同受像管に対する同高電圧の供給を停止させるプロテクト回路を備える映像表示装置の電圧制御方法であって、
上記高電圧を変更可能に生成し、同高電圧に対応して変化する直流の基準電圧を検出するとともに、同高電圧を上昇させながら上記プロテクト回路が上記受像管に対する同高電圧の供給を停止させる直前の同基準電圧を検出し、検出した同直前の基準電圧に対応する上記高電圧を生成させる制御を行うことを特徴とする映像表示装置の電圧制御方法。
【請求項１１】
受像管に供給する高電圧が所定電圧以上となるときに同受像管に対する同高電圧の供給を停止させるプロテクト回路を備える映像表示装置の最大Ｘ線放射量測定方法であって、
上記映像表示装置にて、上記高電圧を変更可能に生成し、同高電圧に対応して変化する直流の基準電圧を検出するとともに、同高電圧を上昇させながら上記プロテクト回路が上記受像管に対する同高電圧の供給を停止させる直前の同基準電圧を検出し、検出した同直前の基準電圧に対応する上記高電圧を生成させる制御を行い、
上記直前の基準電圧に対応する上記高電圧を生成させる制御が行われているときに、Ｘ線放射量を測定可能なＸ線放射量測定装置を用いて上記受像管からのＸ線の最大放射量を測定することを特徴とする映像表示装置の最大Ｘ線放射量測定方法。
【発明の詳細な説明】
【０００１】
【発明の属する技術分野】
本発明は、受像管に対する同高電圧の供給を停止可能なプロテクト回路を備えるテレビジョン、映像表示装置、映像表示装置の電圧制御方法および映像表示装置の最大Ｘ線放射量測定方法に関する。
【０００２】
【従来の技術】
従来、Ｘ線プロテクト回路を備えるテレビジョン等の映像表示装置として、図８に示すものが知られている。図において、映像表示装置は、交流電圧を入力して複数電位の直流の基準電圧を生成する電源回路１と、基準電圧を入力して高電圧のアノード電圧を生成するフライバックトランス２と、アノード電圧に基づいて電子ビームを所定の管面に向かって放出させる受像管３と、受像管３からのＸ線の放射を防ぐように基準電圧が所定電圧以上となるときに電源回路１に基準電圧の生成を停止させるＸ線プロテクト回路４と、電源回路１が生成する基準電圧の大きさを変更可能な半固定抵抗器５とを備えている。そして、基準電圧が所定電圧以上となったときにＸ線プロテクト回路４により電源がオフとされ、受像管３へのアノード電圧の供給が停止される。受像管からのＸ線放射量はアノード電圧が上昇するほど急激に多くなるが、アノード電圧が所定電圧以上とならないようにすることにより、受像管からのＸ線の放射を防ぐことができる。
ここで、映像表示装置の製品出荷時には、抜き取り検査で最大Ｘ線放射量を測定している。その際、基準電圧を生成する電源回路１に取り付けた半固定抵抗器５を作業者が回すことにより基準電圧を上昇させていき、Ｘ線プロテクト回路が作動する直前の電圧まで基準電圧を上昇させてからＸ線放射量測定装置の測定部を受像管の管面に持っていき、最大Ｘ線放射量を測定する。
【０００３】
【発明が解決しようとする課題】
上述した従来の技術においては、半固定抵抗器を回してＸ線プロテクト回路が作動する直前の電圧まで基準電圧を上昇させる作業に手間がかかっていた。また、Ｘ線プロテクト回路が作動すると電源がオフになるため、電源をオンにした後にＸ線プロテクト回路が作動する直前の電圧まで基準電圧を下げるように半固定抵抗器を調整する必要があるが、正確に半固定抵抗器を調整するまで電源をオンにして半固定抵抗器を回す作業を繰り返してしまうことがあった。
【０００４】
なお、実開平６−７０３６７号公報に開示された技術はアノード電圧の分圧電圧が閾値電圧以上となったときにＸ線プロテクト動作を開始させるものであり、特開平７−２６４５１１号公報に開示された技術は電源プロテクト機能が働いた時であっても回路群の調整ができるようにするものであるため、Ｘ線プロテクト回路が作動する直前の電圧まで基準電圧を上げる作業の煩わしさを解消することはできない。また、特開昭５３−８０１５５号公報に開示された技術は各種部品のばらつきを半固定ボリュームにて吸収可能にするものであり、特開昭５８−２２１５７３号公報に開示された技術は映像表示装置の修理の際に安価な回路を使用しつつ不要輻射に対して安全を保証するものであるため、同様にＸ線プロテクト回路が作動する直前の電圧まで基準電圧を上げる作業の煩わしさを解消することはできない。
本発明は、上記課題にかんがみてなされたもので、最大Ｘ線放射量を測定する作業を容易にさせることが可能なテレビジョン、映像表示装置、映像表示装置の電圧制御方法および映像表示装置の最大Ｘ線放射量測定方法の提供を目的とする。
【０００５】
【課題を解決するための手段】
上記目的を達成するため、請求項１にかかる発明は、交流電圧を入力して高電位の直流の基準電圧および当該高電位に略比例した電位とされる低電位の直流の基準電圧を生成する電源回路と、同高電位の基準電圧を入力して同高電位の基準電圧が大きくなるほど電圧が大きくなる高電圧を生成するフライバックトランスと、同高電圧に基づいて電子ビームを所定の管面に向かって放出させる受像管と、この受像管からのＸ線の放射を防ぐように上記高電位の基準電圧が所定電圧以上となるときに上記電源回路に基準電圧の生成を停止させるＸ線プロテクト回路とを備え、上記電源回路は生成する基準電圧の大きさを変更可能な電圧可変回路を有するテレビジョンにおいて、上記電圧可変回路は、入力される制御電圧に基づいて上記電源回路が生成する基準電圧の大きさを変更可能であり、所定抵抗値の抵抗回路を直列接続するとともに上記低電位の基準電圧の電源ラインとグランドとの間に介在される分圧回路と、上記分圧回路の中間連結部の電圧を入力してデジタルの電圧値に変換するＡ／Ｄコンバータと、同電圧値を記憶するＲＡＭとを有し、段階的に上記基準電圧を上昇させる上記制御電圧を作成して上記電圧可変回路に出力することにより同基準電圧を上昇させながら上記Ａ／Ｄコンバータからデジタルの電圧値を取得して上記ＲＡＭに記憶させ、同電圧値に基づいて上記Ｘ線プロテクト回路が上記電源回路に基準電圧の生成を停止させたか否かを判定するとともに、同Ｘ線プロテクト回路が同基準電圧の生成を停止させたと判定したとき、上記ＲＡＭから同Ｘ線プロテクト回路が同基準電圧の生成を停止させる直前に相当する電圧値を読み出し、上記低電位の基準電圧が当該電圧値に対応する電圧となるように上記制御電圧を作成して上記電圧可変回路に出力することにより上記基準電圧を調整する制御を行うマイコンとを具備する構成としてある。
【０００６】
すなわち、電圧可変回路は、入力される制御電圧に基づいて電源回路が生成する基準電圧の大きさを変更可能である。マイコンは、段階的に基準電圧を上昇させる制御電圧を作成して電圧可変回路に出力することにより基準電圧を上昇させながらＡ／Ｄコンバータから低電位の基準電圧の分圧電圧に対応するデジタルの電圧値を取得してＲＡＭに記憶させる。また、取得したデジタルの電圧値に基づいて、Ｘ線プロテクト回路が電源回路に基準電圧の生成を停止させたか否かを判定する。Ｘ線プロテクト回路が基準電圧の生成を停止させたと判定したとき、ＲＡＭからＸ線プロテクト回路が基準電圧の生成を停止させる直前に相当するデジタルの電圧値を読み出す。そして、低電位の基準電圧が当該デジタルの電圧値に対応する電圧となるように制御電圧を作成して電圧可変回路に出力することにより、基準電圧を調整する制御を行う。
ここで、高電位の基準電圧は低電位の基準電圧に略比例した電位とされており、低電位の基準電圧の分圧電圧を検出することにより、Ｘ線プロテクト回路により生成が停止させる直前の基準電圧を自動的に電源回路に生成させることができる。また、受像管に供給される高電圧は高電位の基準電圧が大きくなるほど大きくなるので、受像管には高電圧を上昇させる場合を基準としてプロテクト回路が供給を停止させる直前の高電圧が供給され、最大Ｘ線放射量を測定することが可能となる。従って、プロテクト回路が作動する直前の電圧まで受像管に供給する高電圧を上昇させる作業に手間がかからなくなり、最大Ｘ線放射量を測定する作業を容易にさせることが可能となる。
【０００７】
ところで、テレビジョン以外に使用される種々の映像表示装置にも、本発明を適用することが可能である。そこで、請求項２にかかる発明は、受像管に供給する高電圧が所定電圧以上となるときに同受像管に対する同高電圧の供給を停止させるプロテクト回路を備える映像表示装置であって、上記高電圧を変更可能に生成する高電圧生成手段と、上記高電圧に対応して変化する直流の基準電圧を検出する基準電圧検出手段と、上記高電圧生成手段にて上記高電圧を上昇させる場合を基準として上記プロテクト回路が上記受像管に対する上記高電圧の供給を停止させる直前の上記基準電圧を上記基準電圧検出手段に検出させ、検出された同直前の基準電圧に対応する上記高電圧を上記高電圧生成手段に生成させる制御を行う電圧制御手段とを具備する構成としてある。
【０００８】
すなわち、高電圧生成手段は、受像管に供給する高電圧を変更可能に生成する。基準電圧検出手段は、高電圧に対応して変化する直流の基準電圧を検出する。電圧制御手段は、高電圧生成手段にて高電圧を上昇させる場合を基準としてプロテクト回路が受像管に対する高電圧の供給を停止させる直前の基準電圧を基準電圧検出手段に検出させる。そして、検出された同直前の基準電圧に対応する高電圧を高電圧生成手段に生成させる制御を行う。すると、受像管には、高電圧を上昇させる場合を基準としてプロテクト回路が供給を停止させる直前の高電圧が自動的に供給されるので、最大Ｘ線放射量を測定することが可能となる。従って、プロテクト回路が作動する直前の電圧まで受像管に供給する高電圧を上昇させる作業に手間がかからなくなり、最大Ｘ線放射量を測定する作業を容易にさせることが可能となる。
【０００９】
ここで、請求項３にかかる発明のように、上記高電圧生成手段は、一次側電圧を入力して二次側の直流の基準電圧を生成する電源回路を有し、同基準電圧が大きくなるほど電圧が大きくなる上記高電圧を生成し、上記電圧制御手段は、上記電源回路に上記基準電圧を上昇させながら上記プロテクト回路が上記受像管に対する上記高電圧の供給を停止させる直前の同基準電圧を上記基準電圧検出手段に検出させ、検出された同直前の基準電圧となるように上記電源回路に上記基準電圧を生成させる構成としてもよい。すなわち、電源回路に基準電圧を上昇させると、受像管に供給される高電圧も上昇する。そこで、高電圧の供給が停止される直前の基準電圧となるように電源回路に基準電圧を生成させると、受像管にはプロテクト回路が供給を停止させる直前の高電圧を供給することができる。
【００１０】
また、電圧制御手段の構成の具体例として、請求項４にかかる発明は、上記電圧制御手段は、上記基準電圧に対応する電圧値を記憶する記憶領域を有し、段階的に上記電源回路に上記基準電圧を上昇させながら上記基準電圧検出手段に同基準電圧を検出させて検出された基準電圧に対応する電圧値を取得して同記憶領域に記憶させ、上記プロテクト回路が上記受像管に対する上記高電圧の供給を停止させたか否かを判定するとともに、同プロテクト回路が同高電圧の供給を停止させたと判定したとき、同記憶領域から同プロテクト回路が同高電圧の供給を停止させる直前に相当する電圧値を読み出し、当該電圧値に対応する基準電圧となるように上記電源回路に上記基準電圧を生成させる構成としてある。
すなわち、検出した基準電圧に対応する電圧値を記憶することにより、高電圧の供給が停止される直前の基準電圧を容易に生成させることができ、受像管にはプロテクト回路が供給を停止させる直前の高電圧を供給することができる。
【００１１】
さらに、請求項５にかかる発明のように、上記電圧制御手段は、上記高電圧の供給を停止させる直前に相当する電圧値に対応する基準電圧となるように上記電源回路に上記基準電圧を生成させたとき、上記受像管からのＸ線の放射量を測定するように促す旨を外部に出力する構成としてもよい。すなわち、Ｘ線の放射量を測定可能な基準電圧が生成されているときにその旨を知ることができるので、最大Ｘ線放射量を測定する作業の際に利便性が向上する。
ここで、上記旨を出力する構成は様々考えられ、例えば、受像管への表示により上記旨を出力してもよいし、スピーカからの音声出力により上記旨を出力してもよい。
【００１２】
ところで、基準電圧を検出する構成の一例として、請求項６にかかる発明は、上記基準電圧検出手段は、所定抵抗値の抵抗回路を直列接続するとともに上記基準電圧の電源ラインとグランドとの間に介在される分圧回路を備え、当該分圧回路の中間連結部の電圧を検出することにより上記基準電圧を検出する構成としてある。すなわち、分圧回路は中間連結部にて基準電圧を分圧するので、基準電圧検出手段は分圧された基準電圧を検出することにより基準電圧を検出することができる。
【００１３】
高電圧を生成する構成の一例として、請求項７にかかる発明は、上記高電圧生成手段は、上記電源回路にて生成された基準電圧を入力して上記高電圧を生成するフライバックトランスを備える構成としてある。すなわち、テレビジョンの汎用品を使用して、基準電圧から高電圧を生成することができる。
ここで、電源回路が上記一次側電圧を入力して高電位の直流の基準電圧および当該高電位に対応した電位とされる低電位の直流の基準電圧を生成する場合、上記フライバックトランスは上記高電位の基準電圧を入力して上記高電圧を生成してもよい。すなわち、テレビジョンにて汎用される回路を使用して高電圧を生成することができる。
むろん、フライバックトランス以外にも、所定の高圧生成回路を使用して基準電圧から高電圧を生成するようにしてもよい。
【００１４】
基準電圧を変更させる構成の一例として、請求項８にかかる発明は、上記電源回路は、直流とされた上記一次側電圧をオンオフしてパルス状の電圧を生成するとともに入力される制御電圧に応じて同電圧のパルス幅を変更可能なパルス生成回路を有し、同パルス状の電圧に基づいて上記基準電圧を生成し、上記電圧制御手段は、上記基準電圧に対応した上記制御電圧を生成して上記パルス生成回路に対して出力する構成としてある。すなわち、テレビジョンの電源回路にて汎用される回路を使用して基準電圧を変更することができる。
【００１５】
基準電圧を変更させる際、請求項９にかかる発明のように、上記電圧制御手段は、上記受像管に供給する高電圧の電流量についての操作入力を受け付け、操作入力された電流量となるように上記受像管に供給する高電圧の電流を制御する構成としてもよい。すなわち、受像管に流す高電圧の電流を操作により変えることができるので、最大Ｘ線放射量を測定する作業の際に利便性が向上する。
ここで、操作入力を受け付ける構成は様々考えられ、例えば、映像表示装置に設けたボタンから操作入力を受け付けてもよいし、操作キーを有するリモコン送信機から操作入力を受け付けてもよい。
【００１６】
ところで、上述したテレビジョンおよび映像表示装置は、単独で使用される場合もあるし、他の装置に組み込まれた状態で使用される場合もある。
また、プロテクト回路が供給を停止させる直前となるように高電圧を制御する手法は、所定の手順に従って処理を進めていくうえで、その根底にはその手順にも発明が存在する。そこで、請求項１０にかかる発明は、受像管に供給する高電圧が所定電圧以上となるときに同受像管に対する同高電圧の供給を停止させるプロテクト回路を備える映像表示装置の電圧制御方法であって、上記高電圧を変更可能に生成し、同高電圧に対応して変化する直流の基準電圧を検出するとともに、同高電圧を上昇させながら上記プロテクト回路が上記受像管に対する同高電圧の供給を停止させる直前の同基準電圧を検出し、検出した同直前の基準電圧に対応する上記高電圧を生成させる制御を行う構成としてある。
【００１７】
さらに、上記テレビジョンおよび映像表示装置を使用して最大Ｘ線放射量を測定する方法にも発明は存在する。そこで、請求項１１にかかる発明は、受像管に供給する高電圧が所定電圧以上となるときに同受像管に対する同高電圧の供給を停止させるプロテクト回路を備える映像表示装置の最大Ｘ線放射量測定方法であって、上記映像表示装置にて、上記高電圧を変更可能に生成し、同高電圧に対応して変化する直流の基準電圧を検出するとともに、同高電圧を上昇させながら上記プロテクト回路が上記受像管に対する同高電圧の供給を停止させる直前の同基準電圧を検出し、検出した同直前の基準電圧に対応する上記高電圧を生成させる制御を行い、上記直前の基準電圧に対応する上記高電圧を生成させる制御が行われているときに、Ｘ線放射量を測定可能なＸ線放射量測定装置を用いて上記受像管からのＸ線の最大放射量を測定する構成としてある。
すなわち、本発明は映像表示装置の電圧制御方法や映像表示装置の最大Ｘ線放射量測定方法としても適用可能であり、請求項１、請求項３〜請求項９に記載された装置構成を当該方法に対応させることも可能である。
【００１８】
【発明の効果】
以上説明したように、請求項１、請求項２、請求項１０、請求項１１にかかる発明によれば、最大Ｘ線放射量を測定する作業を容易にさせることが可能なテレビジョン、映像表示装置、映像表示装置の電圧制御方法および映像表示装置の最大Ｘ線放射量測定方法を提供することができる。
また、請求項３にかかる発明によれば、汎用的な電源回路を利用することができるので、簡易な回路構成にてプロテクト回路が供給を停止させる直前の高電圧を受像管に供給することができ、請求項４にかかる発明によれば、高電圧の供給が停止される直前の基準電圧を容易に生成させることができる。
さらに、請求項５にかかる発明によれば、最大Ｘ線放射量を測定する作業の際に利便性を向上させることができる。
【００１９】
さらに、請求項６にかかる発明によれば、より低い電圧を検出すればよいので、より簡易な回路構成で基準電圧を検出することが可能となる。
さらに、請求項７にかかる発明によれば、高電圧生成手段の具体例を提供することができ、テレビジョンの汎用品を使用して容易に高電圧を生成することができる。
さらに、請求項８にかかる発明によれば、汎用的な回路を使用して基準電圧を変更することができる。
さらに、請求項９にかかる発明によれば、最大Ｘ線放射量を測定する作業の際に利便性を向上させることができる。
【００２０】
【発明の実施の形態】
以下、下記の順序にしたがって本発明の実施形態について説明する。
（１）テレビジョンの概略構成：
（２）最大Ｘ線放射量測定時に使用する機器：
（３）テレビジョンの要部構成：
（４）テレビジョンの動作と最大Ｘ線放射量測定方法：
【００２１】
（１）テレビジョンの概略構成：
図１は、本発明の一実施形態にかかるテレビジョン（映像表示装置）１００の構成の概略ブロック図である。なお、操作パネル等は図示を省略している。
図において、テレビジョン１００は、放送受信装置として、概略、チューナＩＣ１２と、このチューナＩＣ１２に接続されたクロマＩＣ１３と、チューナＩＣ１２とクロマＩＣ１３に接続されたマイコン１１と、マイコン１１に接続されたリモコン受信部１４を備えている。チューナＩＣ１２とクロマＩＣ１３とマイコン１１は、ＩＩＣバス１０に接続されている。操作者がリモコン送信機１５の操作キーを操作すると、同リモコン送信機１５は操作内容に対応する赤外線のリモコン信号を送信し、リモコン受信部１４が同リモコン信号を受信する。
マイコン１１は、各種制御を行うため、ＣＰＵ１１ａ、ＲＯＭ１１ｂ、ＲＡＭ１１ｃ、オンスクリーンディスプレイ回路（ＯＳＤ）１１ｄ、Ａ／Ｄコンバータ１１ｅ、Ｄ／Ａコンバータ１１ｆ、図示しないタイマ回路、等を内蔵している。そして、上記リモコン受信部１４から入力されるリモコン信号に応じて、シリアルデータ通信によりテレビジョン１００全体を制御する。
【００２２】
マイコン１１、ＩＣ１２，１３、フライバックトランス（ＦＢＴ）２７等のデバイスには電源回路４０から複数電位の直流の基準電圧が供給されており、これらのデバイスは同基準電圧を利用して動作するようになっている。また、電源回路４０には本発明にいうプロテクト回路であるＸ線プロテクト回路３０が接続されており、受像管（ＣＲＴ）２２からのＸ線の放射を防ぐように高電位の基準電圧（Ｅ１）が所定電圧以上となるときに電源回路４０に基準電圧の生成を停止させるようになっている。さらに、Ｘ線プロテクト回路３０にはリセット回路３１が接続されており、Ｘ線プロテクト回路３０が作動して電源回路４０に基準電圧の生成を停止させたときに、マイコン１１に対してリセット信号を出力するとともにテレビジョン１００の各部をリセットするように動作する。
【００２３】
チューナＩＣ１２は、周波数シンセサイザ方式のチューナであり、マイコン１１の制御によりテレビジョン放送の放送電波を受信し、中間周波信号（ＩＦ）に変換して出力する。詳細な図示を省略しているが、同チューナＩＣ１２は、マイコン１１に接続された高周波増幅回路、この高周波増幅回路とマイコン１１に接続された中間周波信号出力回路、等を備えている。中間周波信号出力回路は、マイコン１１に接続された局部発振回路と、この局部発振回路と高周波増幅回路に接続された混合回路とを備えている。なお、高周波増幅回路、中間周波信号出力回路は、従来から採用されている種々のテレビジョン用の回路を適用することができる。
【００２４】
高周波増幅回路は、バンドパスフィルタを有しており、マイコン１１の制御に基づいて、アンテナ１２ａからこのバンドパスフィルタを介して所望周波数に対応する放送電波を受信し、増幅して高周波信号を作成し、混合回路に出力する。局部発振回路は、ＰＬＬ（Ｐｈａｓｅ  Ｌｏｃｋｅｄ  Ｌｏｏｐ  ）回路により構成されており、水晶発振回路からの基準発振信号を基準にして、ＰＬＬ回路により放送電波の所望周波数に対応する局部発振周波数の局部発振信号を作成して混合回路に出力する。混合回路は、高周波増幅回路からの出力と局部発振回路からの局部発振信号とを混合して中間周波信号に変換し、クロマＩＣ１３に出力する。
【００２５】
詳細な図示を省略しているが、クロマＩＣ１３は、チューナＩＣ１２に接続された中間周波増幅（ＶＩＦ）回路と、マイコン１１に接続されたＶＣＯ（Ｖｏｌｔａｇｅ  Ｃｏｎｔｒｏｌｅｄ  Ｏｓｃｉｌｌａｔｏｒ）回路、このＶＣＯ回路とＶＩＦ回路に接続された検波回路、この検波回路に接続されたＡＧＣ回路、同検波回路に接続された同期回路、等を備えている。なお、各回路は、従来から採用されている種々のテレビジョン用の回路を適用することができる。
ＶＩＦ回路は、チューナＩＣ１２から入力される中間周波信号を中間周波増幅し、中間周波増幅した中間周波信号を検波回路に出力する。ＶＣＯ回路は、マイコン１１から入力される電圧に応じて発振する発振信号の発振周波数を変更することが可能であり、同電圧に対応する発振周波数で発振信号を発振する。検波回路は、発振信号の発振周波数に基づいて、ＶＩＦ回路にて中間周波増幅された中間周波信号を検波し、ＲＧＢ信号をカソードアンプ２１に出力するとともに、ＡＵＤＩＯ信号をオーディオアンプ２３に出力する。また、検波回路は検波の過程で発振信号の発振周波数に基づいて水平・垂直同期信号（ＳＹＮＣ）も作成して同期回路に出力する。同期回路は、入力される水平・垂直同期信号に基づいてのこぎり波状の水平・垂直ドライブ信号（ＤＲＩＶＥ）を作成し、水平偏向回路と垂直偏向回路とからなる偏向回路２５に出力する。
なお、クロマＩＣ１３はＯＳＤ１１ｄに接続されており、同ＯＳＤ１１ｄから入力されるＯＳＤ信号をＲＧＢ信号に重畳可能である。
【００２６】
カソードアンプ２１は、ＲＧＢ信号を増幅して受像管２２に供給する。すると、受像管２２は、増幅されたＲＧＢ信号に基づいて画面表示を行う。一方、オーディオアンプ２３は、ＡＵＤＩＯ信号を増幅してスピーカ２４に供給する。そして、スピーカ２４は、増幅されたＡＵＤＩＯ信号に基づいて音声を出力する。
偏向回路２５は、水平・垂直ドライブ信号に対応した所定の水平・垂直ドライブ電流を作成し、受像管２２に取り付けられた偏向コイル２６に供給することにより、電子ビームを水平・垂直方向にドライブさせる。また、水平偏向回路で生じる高周波信号は、ＦＢＴ２７に供給される。ＦＢＴ２７は、高電位の基準電圧を入力して受像管２２に供給する高電圧（カソード電圧）を生成する。
すると、受像管２２は、同高電圧に基づいてＲＧＢ信号に応じた電子ビームを所定の管面に向かって放出させる。その結果、受像管２２の管面に画像が現れることになる。
【００２７】
（２）最大Ｘ線放射量測定時に使用する機器：
テレビジョン製造工場で調整・検査するため、本テレビジョンのＩＩＣバス１０にはＩＩＣバスインターフェイス（ＩＩＣバスＩ／Ｆ）１０ａが接続されており、本テレビジョン１００はパーソナルコンピュータ（ＰＣ）と接続可能となっている。
図２は、最大Ｘ線放射量を測定する際に使用する機器をテレビジョンとともに示している。
図において、受像管２２の管面２２ａはテレビジョン１００の前面となるように配置されている。図ではテレビジョン１００の右下部にＩＩＣバスＩ／Ｆ１０ａが配設され、このＩＩＣバスＩ／Ｆ１０ａを介してＩＩＣバスケーブル２０１によりＰＣ２００に接続されている。同ＰＣ２００は、出力デバイスとしてのディスプレイ２０２と、入力デバイスとしてのキーボード２０３、マウス２０４とが接続されている。ＰＣ２００をＩＩＣバスＩ／Ｆ１０ａに接続するとき、テレビジョンのリアキャビネット１００ａを取り外してからＩＩＣバスＩ／Ｆ１０ａにケーブル２０１を接続する。リモコン送信機１５にて所定のキー操作を行っていわゆる工場モードにすると、同ＰＣ２００はテレビジョン１００に対して各種調整データを送出可能となる。
【００２８】
ここで、ＰＣ２００から最大Ｘ線放射量測定モードにする指示が送出されると、詳しくは後述するが、テレビジョン１００は受像管２２に対する高電圧の供給を停止させる直前の電圧となるように高電圧を制御する。そして、このような制御が行われているときに、Ｘ線放射量を測定可能なＸ線放射量測定装置８０の測定部８０ａを受像管の管面２２ａに押し当てるように持っていき、受像管２２からのＸ線の最大放射量を測定する。
【００２９】
（３）テレビジョンの要部構成：
図３は、本テレビジョン１００の要部構成を一部回路にて示している。
電源回路４０は、概略、整流平滑回路４１、スイッチング回路４２、トランス４３、直流化回路４４とを備えている。整流平滑回路４１は、商用交流電源からの交流電圧を入力し、シリコンブリッジ４１ａと電解コンデンサ４１ｂとにて整流、平滑し、直流とされた一次側電圧とする。スイッチング回路４２は、マイコン１１のＤ／Ａコンバータ１１ｆに接続されたパルス生成回路４２ａと、このパルス生成回路４２ａとＸ線プロテクト回路３０とに接続されたプロテクト用スイッチ素子４２ｂとを有している。パルス生成回路４２ａは、スイッチングトランジスタやコンデンサや複数の抵抗素子等からなり、直流とされた一次側電圧をオンオフしてパルス状の電圧を生成するとともに、マイコン１１から入力される制御電圧に応じて同電圧のパルス幅を変更可能である。すなわち、パルス生成回路４２ａは、電源回路４０が生成する基準電圧の大きさを変更可能な電圧可変回路である。そして、電源回路４０が生成する基準電圧Ｅ１〜Ｅ３の大きさを変更可能である。
【００３０】
トランス４３は、同じコアに巻回された一次側コイルと二次側コイルを備えており、二次側コイルの一端はグランドに接続されるとともに他端および途中の二箇所の計三箇所に出力部が設けられ、パルス状とされた一次側電圧を入力して三種類の二次側電圧を出力する。直流化回路４４は、三種類の二次側電圧を入力し、それぞれダイオードＤ１，Ｄ２，Ｄ３にて整流し、電解コンデンサＣ１，Ｃ２，Ｃ３にて平滑して、三種類の直流とされた基準電圧Ｅ１，Ｅ２，Ｅ３（Ｅ１＞Ｅ２＞Ｅ３）に変換する。同基準電圧Ｅ１〜Ｅ３は、同じトランス４３からの二次側電圧に基づいて生成されるので、互いに略比例とされた電位とされる。
【００３１】
最も高い電位の基準電圧（高電位の基準電圧）Ｅ１はＦＢＴ２７に供給され、同ＦＢＴ２７は基準電圧Ｅ１を入力して同基準電圧Ｅ１が大きくなるほど電圧が大きくなる高電圧を生成して受像管２２に供給する。すると、受像管２２は、生成された高電圧に基づいて電子ビームを管面に向かって放出させる。また、最も低い電位の基準電圧Ｅ３はマイコン１１の電源端子等に供給されるようになっており、マイコン１１は同基準電圧Ｅ３を駆動源として駆動する。電源回路４０はフィードバックを行いながら基準電圧を生成する回路であり、図示していないが、基準電圧Ｅ３が所定電圧以上であるか否かに応じてオンオフする信号をパルス生成回路４２ａに入力して同パルス生成回路４２ａのオンオフのタイミングを変更させるようにしている。
このようにして、電源回路４０は、交流電圧を入力して高電位の直流の基準電圧Ｅ１および当該高電位に略比例した電位とされる低電位の直流の基準電圧Ｅ２，Ｅ３を生成する。そして、高電位の基準電圧Ｅ１を変更可能に生成する電源回路４０と、同基準電圧Ｅ１を入力して電圧を変更可能に受像管２２に対する高電圧を生成するＦＢＴ２７とは、高電圧生成手段を構成する。
【００３２】
Ｘ線プロテクト回路３０は、高電位の基準電圧Ｅ１の電源ラインとグランドとの間に介在された抵抗素子Ｒ１，Ｒ２の直列回路と、低電位の基準電圧Ｅ２の電源ラインとグランドとの間に介在された抵抗素子Ｒ３および半固定抵抗器ＶＲ１の直列回路（半固定抵抗器ＶＲ１がグランド側とされている）と、抵抗素子Ｒ１，Ｒ２の中間連結部の電圧と半固定抵抗器ＶＲ１の可変部の電圧とを入力して比較結果を出力する比較器３０ａを備えている。従って、半固定抵抗器ＶＲ１を調整することにより、基準電圧Ｅ１が何ボルト以上になったときにＸ線プロテクト回路３０を作動させるかを変更可能である。
【００３３】
比較器３０ａの出力は、プロテクト用スイッチ素子４２ｂとリセット回路３１とに入力される。すなわち、高電位の基準電圧Ｅ１の分圧電圧と半固定抵抗器ＶＲ１の可変部の電圧とが比較器３０ａにて比較され、基準電圧Ｅ１が半固定抵抗器ＶＲ１による所定電圧以上となると、プロテクト用スイッチ素子４２ｂにトランス４３への一次側電圧の供給を遮断させるとともに、リセット回路３１にテレビジョン１００の各部をリセットさせる。従って、Ｘ線プロテクト回路３０は、受像管２２からのＸ線の放射を防ぐように高電位の基準電圧Ｅ１が所定電圧以上となるときに電源回路４０に基準電圧Ｅ１〜Ｅ３の生成を停止させる。言い換えると、受像管２２に供給する高電圧が所定電圧以上となるときに受像管２２に対する同高電圧の供給を停止させることになる。
なお、本実施形態では三種類の基準電圧を生成するようになっているが、基準電圧の種類数に限定されるものではなく、例えば、本発明は基準電圧を一種類のみ生成する電源回路を有する映像表示装置にも適用可能である。
【００３４】
また、低電位の基準電圧Ｅ２の電源ラインとグランドとの間には、所定抵抗値の抵抗素子（抵抗回路）Ｒ４，Ｒ５を直列接続した分圧回路５０が介在されている。この分圧回路５０の中間連結部５１はマイコン１１のＡ／Ｄコンバータ１１ｅに接続されており、このＡ／Ｄコンバータ１１ｅは同中間連結部５１の電圧、すなわち、低電位の基準電圧Ｅ２の分圧電圧を入力してデジタルの電圧値に変換する。従って、分圧回路５０とマイコン１１とは、分圧回路５０の中間連結部５１の電圧を検出することにより、受像管２２に供給する高電圧に対応して変化する直流の基準電圧を検出する基準電圧検出手段を構成する。そして、基準電圧Ｅ２より低い電圧を検出すればよいので、簡易な回路構成で基準電圧を検出することができる。
【００３５】
さらに、マイコン１１は、パルス生成回路４２ａに基準電圧Ｅ１〜Ｅ３を制御させるデジタルの制御電圧データを内蔵するＤ／Ａコンバータ１１ｆに書き込むことにより、Ｄ／Ａコンバータ１１ｆは制御電圧データに対応する制御電圧に変換してパルス生成回路４２ａに出力する。すると、パルス生成回路４２ａは、入力される制御電圧に対応したパルスを生成し、同パルスに従って整流平滑回路４１からの一次側直流電圧をオンオフする。
【００３６】
（４）テレビジョンの動作と最大Ｘ線放射量測定方法：
以下、本実施形態にかかるテレビジョンの動作を、最大Ｘ線放射量を測定する手順とともに説明する。
まず、テレビジョン製造工場の作業者は、図２で示したようにテレビジョン１００にＰＣ２００を接続しておき、リモコン送信機１５を用いてテレビジョン１００を工場モードにする所定のキー操作を行うとともに、ＰＣ２００にて工場モード用の所定の調整検査プログラムを起動させておく。同調整検査プログラムの機能により、ＰＣ２００はキーボード２０３等から最大Ｘ線放射量測定モードにする指示についての操作入力を受け付けて同指示をテレビジョン１００に送出可能となっており、作業者はキーボード２０３等から最大Ｘ線放射量測定モードにする指示についての操作入力を行うことにより、テレビジョン１００に対して同指示を送ることができる。そして、テレビジョン１００は、工場モードを行っている最中に最大Ｘ線放射量測定モードにする指示を入手すると、受像管２２に供給する高電圧の制御処理を行っていく。
【００３７】
マイコン１１は繰り返しリモコン受信部１４を介してリモコン送信機１５からのリモコン信号の入力を受け付ける処理を行っており、工場モードにするキー操作に対応するリモコン信号が入力されると、所定の工場モードフラグをセットし、工場モードを解除するキー操作に対応するリモコン信号が入力されると、同工場モードフラグをリセットする。そして、工場モードフラグがセットされているとき、図４に示す工場モード処理を繰り返し行う。同処理は、マイコン１１のＣＰＵ１１ａによって行われるものである。
まず、ＩＩＣバスＩ／Ｆ１０ａを介して最大Ｘ線放射量測定モードにする指示が入力されているか否かを判断する（ステップＳ１０５）。同指示が入力されていないときには、本フローを終了する。そして、再び本フローが開始されると、ステップＳ１０５で最大Ｘ線放射量測定モードにする指示が入力されているか否かを判断することになる。
【００３８】
最大Ｘ線放射量測定モードにする指示が入力されると、ＲＡＭ１１ｃの所定領域に設けたＸ線測定フラグをリセット（例えば、Ｘ線測定フラグに０を代入）する（ステップＳ１１０）。次に、ＯＳＤ１１ｄを介して、例えば図５に示すように受像管２２に供給する高電圧の電流量の入力を促す旨を受像管２２に表示させ、リモコン送信機１５の操作キーから受像管２２に供給する高電圧の電流量についての操作入力を受け付けて（ステップＳ１１５）、入力された電流量をＲＡＭ１１ｃの所定領域に記憶させる（ステップＳ１２０）。図の例では、作業者はリモコン送信機１５に設けられたカーソルキーや数字キーを操作して電流量を操作入力可能であり、同リモコン送信機１５に設けられた確定キーを押すと操作入力を終了させることができる。むろん、テレビジョン１００の本体に設けられる操作ボタンから電流量についての操作入力を受け付けてもよいし、テレビジョン１００に接続したＰＣから操作ボタンから電流量についての入力を受け付けてもよい。
【００３９】
その後、Ａ／Ｄコンバータ１１ｅから低電位の基準電圧Ｅ２の分圧電圧に対応するデジタルの電圧値を読み込んで取得する（ステップＳ１２５）。この段階は、基準電圧Ｅ２、同基準電圧Ｅ２の分圧電圧、受像管２２に供給される高電圧のタイミングチャートを示した図６におけるタイミングｔ１に相当する。さらに、読み込んだ電圧値をＲＡＭ１１ｃの所定領域に記憶させる（ステップＳ１３０）。当該所定領域は、基準電圧に対応する電圧値を記憶する記憶領域となる。
【００４０】
読み込んだ電圧値をＲＡＭ１１ｃに記憶させた後、読み込んだ電圧値に所定値Ｖ１を加算し（ステップＳ１３５）、加算したデジタルの電圧値をＡ／Ｄコンバータ１１ｅに書き込む（ステップＳ１４０）。この段階は、図６のタイミングｔ２に相当する。すると、Ａ／Ｄコンバータ１１ｅはデジタルの電圧値に対応して同電圧値が大きくなるほど電圧が大きくなる制御電圧に変換して、パルス生成回路４２ａに対して出力する。パルス生成回路４２ａは入力される制御電圧に対応するパルス幅となるように一次側電圧をオンオフし、直流化回路４４が同パルス幅に応じて制御電圧が大きくなるほど電圧が大きくなる基準電圧Ｅ１〜Ｅ３を生成し、ＦＢＴ２７は基準電圧Ｅ１に対応して同基準電圧Ｅ１が大きくなるほど電圧が大きくなる高電圧を生成して受像管２２に供給する。従って、受像管２２に供給される高電圧は、Ａ／Ｄコンバータ１１ｅに書き込まれたデジタルの電圧値に対応して同電圧値が大きくなるほど電圧が大きくなる。
【００４１】
その後、再びＡ／Ｄコンバータ１１ｅから低電位の基準電圧Ｅ２の分圧電圧に対応するデジタルの電圧値を読み込んで取得する（ステップＳ１４５）。この段階は、図６のタイミングｔ３に相当する。従って、基準電圧Ｅ２は初期状態から所定値Ｖ１に相当する電圧分上昇し、受像管２２に供給される高電圧も初期状態から電圧が上昇している。
そして、取得した電圧値が所定の電圧閾値Ｖ０以下であるか否かを判断する（ステップＳ１５０）。Ｘ線プロテクト回路３０が作動すると電源回路４０は基準電圧Ｅ１〜Ｅ３の供給を停止し、基準電圧Ｅ２はほぼ０になるので、同判断処理を行うことによりＸ線プロテクト回路３０が作動しているか否かを判断することができる。すなわち、同判断処理では、デジタルの電圧値に基づいてＸ線プロテクト回路が電源回路に基準電圧の生成を停止させたか否かを判定していることになる。むろん、Ｘ線プロテクト回路３０から基準電圧の供給を停止させていることを示す信号が生成される場合には、同信号をマイコン１１のＩ／Ｏポートで読み込むことによりＸ線プロテクト回路３０が作動しているか否かを判断することが可能である。
【００４２】
取得した電圧値が電圧閾値Ｖ０より大きいとき、ステップＳ１３５にて所定値Ｖ１が加算されたデジタルの電圧値をＲＡＭ１１ｃに記憶させる（ステップＳ１５５）。むろん、ステップＳ１４５にてＡ／Ｄコンバータ１１ｅから取得した電圧値を記憶するようにしてもよい。そして、ステップＳ１３５に戻る。すると、デジタルの電圧値にさらに所定値Ｖ１が加算され、Ｄ／Ａコンバータ１１ｆに書き込まれるので、図６のタイミングｔ４，ｔ６のように、基準電圧Ｅ２は段階的に上昇する。従って、タイミングｔ５，ｔ７でＡ／Ｄコンバータ１１ｅを読み込むと、電圧値はさらに大きくなっている。タイミングｔ８では、高電位の基準電圧Ｅ１が所定電圧以上となるので、Ｘ線プロテクト回路３０の比較器３０ａはプロテクト用スイッチ素子４２ｂにトランス４３への一次側電圧の供給を遮断させる信号を出力する。すると、電源回路４０は基準電圧Ｅ１〜Ｅ３の供給を停止し、高電位の基準電圧Ｅ１と低電位の基準電圧Ｅ２はほぼ０となる。なお、基準電圧Ｅ３については、マイコン１１を動作させるため比較的静電容量の大きなコンデンサから電力を供給され、一定期間所定電圧以上となるようにしてある。
【００４３】
このとき、Ａ／Ｄコンバータ１１ｅから取得した電圧値は電圧閾値Ｖ０以下となるので（タイミングｔ９）、Ｘ線測定フラグをセット（例えば、Ｘ線測定フラグに１を代入）し（ステップＳ１６０）、本フローを終了する。すなわち、ステップＳ１６０の処理は、Ｘ線プロテクト回路が基準電圧の生成を停止させたと判定したことになる。ここで、Ｘ線プロテクト回路の比較器３０ａからの信号はリセット回路３１にも入力されており、このリセット回路３１はマイコン１１に対してリセット信号を出力する。すると、マイコン１１は図示しないリセット端子から同リセット信号を入力し、割り込み処理により図７に示すリセット処理を開始する。
【００４４】
リセット処理を開始すると、まず、Ｘ線測定フラグがセットされているか否かを判断する（ステップＳ２０５）。Ｘ線測定フラグがセットされていないときには、最大Ｘ線放射量測定モードではないので、図示しないその他のリセット処理を行う。Ｘ線測定フラグがセットされているとき、ステップＳ１５５，Ｓ１２０で記憶したデジタルの電圧値と電流量をＲＡＭ１１ｃから読み出す（ステップＳ２１０）。ここで、読み出したデジタルの電圧値は、Ｘ線プロテクト回路が基準電圧の生成を停止させる直前に相当する電圧値である。次に、読み出した電流量に基づいて、受像管２２に供給する高電圧の電流を制御する電流量制御処理を行う（ステップＳ２１５）。この電流量制御処理では、例えば、操作入力された電流量に応じてコントラストやライトを所定量にさせる調整信号を作成してクロマＩＣ１３に対して出力することにより、受像管２２に流す高電圧の電流量を制御することができる。このように、受像管に流す高電圧の電流を操作により変えることができるので、最大Ｘ線放射量を測定する作業の際に便利である。
【００４５】
電流量制御処理を行った後、読み出したデジタルの電圧値をＤ／Ａコンバータ１１ｆに書き込む（ステップＳ２２０）。この段階は、図６のタイミングｔ１０  に相当する。すると、Ａ／Ｄコンバータ１１ｅはデジタルの電圧値に対応する制御電圧に変換してパルス生成回路４２ａに対して出力し、パルス生成回路４２ａは入力される制御電圧に対応するパルス幅となるように一次側電圧をオンオフし、直流化回路４４が同パルス幅に応じた基準電圧Ｅ１〜Ｅ３を生成し、ＦＢＴ２７は基準電圧Ｅ１に対応する高電圧を生成して受像管２２に供給する。従って、受像管２２に供給される高電圧は、Ｘ線プロテクト回路が基準電圧の生成を停止させる直前に相当するデジタルの電圧値に対応する電圧に制御される。従って、ステップＳ２２０の処理では、低電位の基準電圧Ｅ２がデジタルの電圧値に対応する電圧となるように制御電圧を作成して電圧可変回路に出力することにより基準電圧を調整する制御を行うことになる。
このように、マイコン１１は、電源回路４０およびＦＢＴ２７にて高電圧を上昇させる場合を基準としてＸ線プロテクト回路３０が受像管２２に対する高電圧の供給を停止させる直前の基準電圧を検出し、検出した同直前の基準電圧に対応する高電圧を電源回路４０およびＦＢＴ２７に生成させる制御を行う電圧制御手段を構成する。
【００４６】
本実施形態では、最大Ｘ線放射量を測定可能な状態になったことを作業者に伝えるため、例えば「エックスセンヲソクテイシテクダサイ」といった受像管２２からのＸ線の最大放射量を測定するように促す旨をＯＳＤ１１ｄを介して受像管２２に表示させる（ステップＳ２２５）。また、最大Ｘ線放射量の測定を促す旨に対応する所定の音声データをクロマＩＣ１３に出力し、スピーカ２４から所定の音声を出力させる（ステップＳ２３０）。従って、Ｘ線の放射量を測定可能な基準電圧が生成されているときにその旨を表示や音声出力から知ることができるので、最大Ｘ線放射量を測定する作業の際に便利である。
【００４７】
そこで、作業者は、Ｘ線放射量測定装置８０を用いて受像管２２の管面２２ａに測定部８０ａを押し当てるように持っていき、同管面２２ａ上を移動させながらＸ線放射量が最大となるときの値を読み込むことにより、受像管２２からのＸ線の最大放射量を測定する。この段階において、テレビジョン１００ではＸ線プロテクト回路３０が作動する直前の基準電圧に対応する高電圧を生成させる制御が行われている。従って、従来のように、半固定抵抗器を回してＸ線プロテクト回路が作動する直前の電圧まで基準電圧を上昇させたり、Ｘ線プロテクト回路が作動した後に電源をオンにした後にＸ線プロテクト回路が作動する直前の電圧まで基準電圧を下げるように半固定抵抗器を調整したりする作業を行う必要がなくなり、最大Ｘ線放射量を測定する作業が容易となる。
【００４８】
その後、例えばリモコン送信機１５の終了キーが操作されたか否かを検出することにより、最大Ｘ線放射量の測定が終了したか否かを判断する（ステップＳ２３５）。本判断処理は、最大Ｘ線放射量の測定が終了するまで繰り返し行う。むろん、マイコン１１のタイマ回路を利用して、所定時間経過したか否かを判定することにより、測定が終了したか否かを判断してもよい。同測定が終了したと判断すると、基準電圧および高電圧が上昇している状態となっているため、Ｄ／Ａコンバータ１１ｆに初期状態のデジタルの電圧値を書き込み（ステップＳ２４０）、Ｘ線測定フラグをリセットして（ステップＳ２４５）、本フローを終了する。すると、図６のタイミングｔ１１  にて、受像管２２に供給される高電圧は、初期状態の電圧まで下降する。
【００４９】
以上説明したように、本発明の映像表示装置を用いると、受像管には、高電圧を上昇させる場合を基準としてＸ線プロテクト回路が供給を停止させる直前の高電圧が自動的に供給されるので、最大Ｘ線放射量を測定することが可能となる。従って、Ｘ線プロテクト回路が作動する直前の電圧まで受像管に供給する高電圧を上昇させる作業に手間がかからなくなり、最大Ｘ線放射量を測定する作業を容易にさせることが可能となる。
【図面の簡単な説明】
【図１】本発明の一実施形態にかかるテレビジョンの構成の概略ブロック図である。
【図２】最大Ｘ線放射量を測定する際に使用する機器をテレビジョンとともに示す図である。
【図３】テレビジョンの要部構成を一部回路にて示す図である。
【図４】工場モード処理を示すフローチャートである。
【図５】高電圧の電流量の入力を促す表示画面例を示す図である。
【図６】基準電圧Ｅ２、同基準電圧Ｅ２の分圧電圧、受像管に供給される高電圧のタイミングチャートである。
【図７】リセット処理を示すフローチャートである。
【図８】従来例にかかる映像表示装置の要部構成を示す図である。
【符号の説明】
１０…ＩＩＣバス
１０ａ…ＩＩＣバスインターフェイス
１１…マイコン
１１ａ…ＣＰＵ
１１ｂ…ＲＯＭ
１１ｃ…ＲＡＭ
１１ｄ…オンスクリーンディスプレイ回路
１１ｅ…Ａ／Ｄコンバータ
１１ｆ…Ｄ／Ａコンバータ
１２…チューナＩＣ
１２ａ…アンテナ
１３…クロマＩＣ
１４…リモコン受信部
１５…リモコン送信機
２１…カソードアンプ
２２…受像管（ＣＲＴ）
２２ａ…管面
２３…オーディオアンプ
２４…スピーカ
２５…偏向回路
２６…偏向コイル
２７…フライバックトランス（ＦＢＴ）
３０…Ｘ線プロテクト回路
３０ａ…比較器
３１…リセット回路
４０…電源回路
４１…整流平滑回路
４２…スイッチング回路
４２ａ…パルス生成回路
４２ｂ…プロテクト用スイッチ素子
４３…トランス
４４…直流化回路
５０…分圧回路
５１…中間連結部
８０…Ｘ線放射量測定装置
８０ａ…測定部
１００…テレビジョン
２００…パーソナルコンピュータ
【図１】
0003551959.tif 000002
【図２】
0003551959.tif 000003
【図３】
0003551959.tif 000004
【図４】
0003551959.tif 000005
【図５】
0003551959.tif 000006
【図６】
0003551959.tif 000007
【図７】
0003551959.tif 000008
【図８】
0003551959.tif 000009